(57)【特許請求の範囲】
【請求項１】
炊飯器本体に着脱自在に設けられる鍋と、前記鍋の下方部に対向して設けられた保護枠と、前記保護枠に設けられると共に、前記鍋の底面部に対向して設けられた内コイル及び前記鍋の低側面部に対向して設けられた外コイルからなり前記鍋を加熱する鍋加熱装置と、を備えた炊飯器において、
前記内コイルに対向して棒状の第１フェライトを複数本放射線状に配置し、前記外コイルに対向して棒状の第２のフェライトを複数本放射線状に配置し、さらに前記第１のフェライトと前記第２のフェライトを上面から投影して略直線状に配設するとともに、前記第１のフェライト及び前記第２のフェライトの一方あるいは両方の側断面形状を、対向面が略平行になるように台形とし、前記第１のフェライト及び前記第２のフェライトの対向面に所定の厚さの緩衝材を介し対向面間の距離を規定した炊飯器。
【請求項２】
前記緩衝材は、ガラス繊維やポリエステル繊維よりなる織布とし、厚さを０．３ｍｍ程度にした請求項１に記載の炊飯器。
【請求項３】
前記第１のフェライト及び前記第２のフェライトを、前記緩衝材を介在させた状態で前記保護枠と一体に成型した請求項１又は２に記載の炊飯器。
【発明の詳細な説明】
【技術分野】
【０００１】
本発明は、炊飯器に関するもので、特に、電磁誘導を加熱源とした炊飯器に関するものである。
【背景技術】
【０００２】
従来、この種の炊飯器としては、図４に示すようなものがあった（例えば、特許文献１参照）。図４は、上記特許文献１に記載された従来の炊飯器の側面の断面図である。
【０００３】
図４において、従来の炊飯器は、Ｊ型のフェライトに変えて、保護枠２０の底面を上方に向けた状態で、予め外周２箇所に連続巻回した誘導加熱コイル２１を配設し、この誘導加熱コイル２１を、棒状フェライト２２及び２３に分割し、前記棒状フェライト２２、２３の端面を所定の隙間を介して略平行に配置するようにしている。
【先行技術文献】
【特許文献】
【０００４】
【特許文献１】特開２００８−２５３４３４号公報
【発明の概要】
【発明が解決しようとする課題】
【０００５】
フェライトに磁束が通過した際に磁気分極が発生する。フェライト構成を棒状フェライトとして２分割した場合、棒状フェライトの両端の距離が短くなり、前記磁気分極が打ち消しあうためフェライトの透磁率が低下し、鍋との結合が悪化するという課題があった。
【０００６】
上記課題を解決するため、従来の炊飯器では、棒状フェライトの端面を所定の間隔を介して略平行に配置することで、フェライト対向面に異極で発生する磁気分極が互いに打ち消しあうことで、磁気分極が２本のフェライトの対向面と逆側のみとなり、磁気分極の距離を２本のフェライトの両端にとることができ、前記課題の対応を行なっている。
【０００７】
しかしながら、前記特許文献に記載された従来の炊飯器の構成では、棒状フェライト対向面の距離にバラツキが発生しやすく、炊飯にバラツキが生じるという課題があった。また、フェライト同士の接触を防ぐためフェライト対向面の空隙を大きく取る必要があるため、前記磁気分極の打消しが十分にできず、透磁率が低下してしまうという課題があった。
【０００８】
本発明は、前記従来の課題を解決するもので、棒状フェライトを使用しても、フェライトの透磁率が低下すること無く、炊飯性能を安定させた炊飯器を提供することを目的とする。
【課題を解決するための手段】
【０００９】
前記従来の課題を解決するために、本発明の炊飯器は、炊飯器本体に着脱自在に設けられる鍋と、前記鍋の下方部に対向して設けられた保護枠と、前記保護枠に設けられると共に、前記鍋の底面部に対向して設けられた内コイル及び前記鍋の低側面部に対向して設けられた外コイルからなり前記鍋を加熱する鍋加熱装置と、を備えた炊飯器において、前記内コイルに対向して棒状の第１フェライトを複数本放射線状に配置し、前記外コイルに対向して棒状の第２のフェライトを複数本放射線状に配置し、さらに前記第１のフェライトと前記第２のフェライトを上面から投影して略直線状に配設するとともに、前記第１のフェライト及び前記第２のフェライトの一方あるいは両方の側断面形状を、対向面が略平行になるように台形とし、前記第１のフェライト及び前記第２のフェライトの対向面に所定の厚さの緩衝材を介し対向面間の距離を規定したもので、第１、第２のフェライトが棒状であるため、フェライト焼成時の変形が少なく寸法が安定する。また、第１、第２のフェライトを上面から投影して同一直線状に配置し、第１、第２のフェライトの対向面を略平行に配置し、前記第１のフェライト及び第２のフェライトの対向面に緩衝材を介することによって、第１、第２のフェライト間の距離が緩衝材の厚みで規定されるため、少ない隙間で、第１、第２のフェライト同士の接触を未然に防げると共に、第１、第２のフェライトの対向面の距離が安定するため、炊飯性能が向上し且つ安定するものである。
【００１０】
さらに、緩衝材の存在によって、第１、第２のフェライト間の距離を過度に広げる必要が無く、第１、第２のフェライトに磁束が通過した再に発生する磁気分極が、第１、第２のフェライト対向面に異極で発生することで互いに効率よく打ち消しあうことができる。従って、磁気分極が２本の第１、第２のフェライトの対向面と逆側のみとなるため、磁気分極間の距離をとることができ、第１、第２のフェライトの透磁率が低下するのを抑える事が可能となる。
【発明の効果】
【００１１】
本発明の炊飯器は、フェライト透磁率の低下を抑え、炊飯の安定化を図ることができる。また、第１、第２のフェライト間の距離が緩衝材の厚みで規定されるため、少ない隙間で、第１、第２のフェライト同士の接触を未然に防げると共に、第１、第２のフェライトの対向面の距離が安定するため、炊飯性能が向上し且つ安定するものである。
【図面の簡単な説明】
【００１２】
【図１】本発明の実施の形態１における炊飯器の側面の断面図
【図２】（Ａ）〜（Ｃ）同炊飯器の内フェライト、外フェライトの配置例を示す部分側面図
【図３】本発明の第２の実施の形態における炊飯器の側面の断面図
【図４】従来の炊飯器の側面の断面図
【発明を実施するための形態】
【００１３】
第１の発明は、炊飯器本体に着脱自在に設けられる鍋と、前記鍋の下方部に対向して設けられた保護枠と、前記保護枠に設けられると共に、前記鍋の底面部に対向して設けられた内コイル及び前記鍋の低側面部に対向して設けられた外コイルからなり前記鍋を加熱する鍋加熱装置と、を備えた炊飯器において、前記内コイルに対向して棒状の第１フェライトを複数本放射線状に配置し、前記外コイルに対向して棒状の第２のフェライトを複数本放射線状に配置し、さらに前記第１のフェライトと前記第２のフェライトを上面から投影して略直線状に配設するとともに、前記第１のフェライト及び前記第２のフェライトの一方あるいは両方の側断面形状を、対向面が略平行になるように台形とし、前記第１のフェライト及び前記第２のフェライトの対向面に所定の厚さの緩衝材を介し対向面間の距離を規定したもので、第１、第２のフェライトが棒状であるため、フェライト焼成時の変形が少なく寸法が安定する。また、第１、第２のフェライトを上面から投影して同一直線状に配置し、第１、第２のフェライトの対向面を略平行に配置し、前記第１のフェライト及び第２のフェライトの対向面に緩衝材を介することによって、第１、第２のフェライト間の距離が緩衝材の厚みで規定されるため、少ない隙間で、第１、第２のフェライト同士の接触を未然に防げると共に、第１、第２のフェライトの対向面の距離が安定するため、炊飯性能が向上し且つ安定するものである。
【００１４】
さらに、緩衝材の存在によって、第１、第２のフェライト間の距離を過度に広げる必要が無く、第１、第２のフェライトに磁束が通過した再に発生する磁気分極が、第１、第２のフェライト対向面に異極で発生することで互いに効率よく打ち消しあうことができる。従って、磁気分極が２本の第１、第２のフェライトの対向面と逆側のみとなるため、磁気分極間の距離をとることができ、第１、第２のフェライトの透磁率が低下することを抑える事が可能となる。
【００１５】
第２の発明は、特に、第１の発明の前記緩衝材は、ガラス繊維やポリエステル繊維よりなる織布とし、厚さ０．３ｍｍ程度にしたもので、緩衝材に弾力性を持たせることができ、第１、第２のフェライトの振動が効率よく吸収され接触音を未然に防止ですることがきる。また、第１、第２のフェライトの対向面の距離が安定するため、炊飯性能が向上し且つ安定するものである。
【００１６】
第３の発明は、特に、第１又は第２の発明の前記第１のフェライト及び前記第２のフェライトを、前記緩衝材を介在させた状態で前記保護枠と一体に成型したもので、第１、第２のフェライトに磁束が流れた際生じる、振動を防止できるとともに、第１、第２のフェライト間の距離を安定させることができるため、騒音の防止と性能の安定性を両立できるものである。
【００１７】
以下、本発明の実施の形態について、図面を参照しながら説明する。なお、この実施の形態によって本発明が限定されるものではない。
【００１８】
（実施の形態１）
図１は、本発明の実施の形態１における炊飯器の側面断面図、図２は、同炊飯器の内フェライト、外フェライトの配置例を示す部分側面図である。
【００１９】
図１、２において、本実施の形態における炊飯器は、炊飯器本体１と、炊飯器本体１の内部に形成された鍋収納部１ａに収納される鍋２と、炊飯器本体１の開口部１ｄを開閉可能に炊飯器本体１に取り付けられた蓋本体３と、蓋本体３の内側（鍋２の開口部２ａを覆う側）に着脱自在に取り付けられて、鍋２の開口部２ａを密閉可能な略円盤状の内蓋４と、鍋２を誘導加熱する鍋加熱装置５とを有している。
【００２０】
炊飯器本体１の鍋収納部１ａは、炊飯器本体１の上部開口の内周部に嵌合された略環状の上枠１ｂと、鍋２の形状に対応して有底円筒形状に形成され、上部開口側端部で上枠１ｂに一体的に接続された保護枠１ｃとで構成されている。
【００２１】
保護枠１ｃの外周面には、鍋加熱装置５を構成する内コイル５ａと、外コイル５ｂとが取り付けられている。内コイル５ａは、保護枠１ｃを介して、鍋２の底部の中央部周囲に対向するように配置されており、外コイル５ｂは、保護枠１ｃを介して鍋２の底部のコーナー部に対向するように配置されている。
【００２２】
内コイル５ａの外面側には、第１のフェライトである内フェライト６ａ、外コイル５ｂの外側には第２のフェライトである外フェライト６ｂが、それぞれコイル面に対向して設けられている。
【００２３】
各々内フェライト６ａおよび外フェライト６ｂを複数本放射線状に配置すると共に、内コイル５ａに対向した内フェライト６ａと外コイル５ｂに対向し外フェライト６ｂを、上面から投影したときに略直線状になるように配設している。
【００２４】
内フェライト６ａの外側端面と外フェライト６ｂともに少なくとも内フェライト６ａ及び外フェライト６ｂの一方あるいは両方を対向面が略平行になるよう、フェライト側断面形状を台形としている。また、略平行面には、緩衝材７が設けられている。本実施の形態では、緩衝材７は、片面に粘着剤のついた厚み０．３のガラスクロステープで構成されており、内フェライト６ａまたは外フェライト６ｂの対向面に貼り付けた後、前記内フェライト６ａ、外フェライト６ｂをセットする。
【００２５】
これによって、内フェライト６ａ及び外フェライト６ｂが各々棒状であるため、フェライト焼成時の変形が少なく寸法が安定する。また、棒状フェライトを上面から投影して同一直線状に配置し、内フェライト６ａ及び外フェライト６ｂの対向面を略平行に配置し、前記内フェライト６ａ及び外フェライト６ｂの対向面に緩衝材７を介することによって、内フェライト６ａ及び外フェライト６ｂ間の距離が緩衝材７の厚みで規定されるため、少ない隙間で内フェライト６ａ及び外フェライト６ｂ同士の接触を未然に防げると共に、内フェライト６ａ及び外フェライト６ｂ対向面の距離が安定するため、炊飯性能が向上し且つ安定するものである。
【００２６】
さらに、緩衝材７の存在によって、内フェライト６ａ、外フェライト６ｂ間の距離を過度に広げる必要が無く、内フェライト６ａ及び外フェライト６ｂに磁束が通過した際に発生する磁気分極が、内フェライト６ａ及び外フェライト６ｂ対向面に異極で発生することで互いに効率よく打ち消しあうことができるためフェライト透磁率の低下を抑えることができる。
【００２７】
なお、本実施の形態では、緩衝材７としてガラスクロスのテープを使用しているが、ポリエステル等の耐熱性のある材料で繊維よりなる織布で構成したものであれば同様の効果がある。
【００２８】
図２に示すように、内フェライト６ａ及び外フェライト６ｂのそれぞれの端面を略平行に配置する手段として、（Ａ）に示すように内フェライト６ａと外フェライト６ｂの端面同士を略平行に対向させたものと、（Ｂ）に示すように、内フェライト６ａの上面及び外フェライト６ｂの端面を略平行に対向させたものと、（Ｃ）に示すように、内フェライト６ａの端面及び外フェライト６ｂの内側面を略平行に対向させたものでもよい。さらに、（Ｂ）（Ｃ）に示したものは、内フェライト６ａ及び外フェライト６ｂの対向面積が（Ａ）で示した構成より広くとることができ、両フェライトの結合が向上する効果がある。
【００２９】
（実施の形態２）
図３は、本発明の実施の形態２における炊飯器を示している。なお、上記実施の形態１における炊飯器と同一部分には、同一符号を付してその説明を省略する。
【００３０】
本実施の形態における炊飯器は、図３に示すように、内フェライト１６ａ及び外フェライト１６ｂを緩衝材１７を介在させた状態で、鍋２の下方を収納する保護枠１５を形成する樹脂内にインサートして保持したものである。
【００３１】
以上のように、本実施の形態における炊飯器によれば、内フェライト１６ａ及び外フェライト１６ｂの各棒状フェライトを一体に成型することで、棒状フェライトに磁束が流れた際生じる振動を防止できるとともに、２本のフェライト間の距離を安定させることができるため、騒音の防止と性能の安定性を両立できるものである。
【産業上の利用可能性】
【００３２】
以上のように、本発明にかかる炊飯器は、炊飯性能に優れたもので、誘導加熱で加熱する各種炊飯器に適用できる。
【符号の説明】
【００３３】
１    炊飯器本体
１ｃ、１５  保護枠
２    鍋
５    鍋加熱装置
５ａ  内コイル
５ｂ  外コイル
６ａ、１６ａ  内フェライト（第１のフェライト）
６ｂ、１６ｂ  外フェライト（第２のフェライト）
７、１７  緩衝材
【図１】
0005887483.tif 000002
【図２】
0005887483.tif 000003
【図３】
0005887483.tif 000004
【図４】
0005887483.tif 000005